(57)【要約】【課題】引張強度を高める。【解決手段】３枚バレル端子２０に設けられた端子本体５１の後端上部がリテーナ４０に係止される被係止突部５５となっており、この端子本体５１の後方に、被覆電線１０の芯線１１の端末に圧着されるワイヤバレル２１と、絶縁被覆１２の端末に圧着されるインシュレーションバレル２３と、ゴム栓１５の取付筒１７に圧着されるゴム栓バレル２４とが順次に設けられる。ワイヤバレル２１の底部がインシュレーションバレル２３の底部と同程度の低位置に設けられるとともに、ワイヤバレル２１の前端部では、芯線１１の端末の跳ね上がりを抑えつつほぼ平坦に圧着される。３枚バレル端子２０がハウジング３０のキャビティ３１内の正規位置まで挿入された場合に、圧着されたワイヤバレル２１の前端部が、リテーナ４０の係止部４２の突出端と対向する位置まで進入可能とされる。【選択図】図６
2010244879.tif 000002
【特許請求の範囲】
【請求項１】
ハウジングと、ゴム栓とともに被覆電線の端末に固着されて前記ハウジングのキャビティ内に後方から挿入される端子金具と、前記ハウジングに対し前記キャビティの天井側から下方に突出した形態で組み付けられるリテーナとが具備され、
前記端子金具は、その前端部に角筒状の端子本体が形成されてこの端子本体における後端上部が前記リテーナに係止される被係止部となっているとともに、前記端子本体の後方には、前記被覆電線における皮剥きされた芯線の端末に圧着されるワイヤバレルと、残された絶縁被覆の端末に圧着されるインシュレーションバレルと、前記絶縁被覆の外周に嵌装された前記ゴム栓の取付筒に圧着されるゴム栓バレルとが順次に設けられ、
かつ前記ワイヤバレルの底部が前記インシュレーションバレルの底部と同程度の低位置に設けられるとともに、前記ワイヤバレルの前端部では、前記芯線の端末の跳ね上がりを抑えつつほぼ平坦に圧着されており、
前記端子金具が前記キャビティ内の正規位置まで挿入された場合に、圧着された前記ワイヤバレルの前端部が、前記リテーナの突出端と対向する位置まで進入可能となっていることを特徴とするコネクタ。
【請求項２】
ゴム栓とともに被覆電線の端末に固着され、ハウジングのキャビティ内に後方から挿入されて同ハウジングに対して前記キャビティの天井側から下方に突出する形態で組み付けられたリテーナにより抜け止めされる端子金具であって、
前端部に角筒状の端子本体が形成されてこの端子本体における後端上部が前記リテーナに係止される被係止部とされるとともに、前記端子本体の後方には、前記被覆電線における皮剥きされた芯線の端末に圧着されるワイヤバレルと、残された絶縁被覆の端末に圧着されるインシュレーションバレルと、前記絶縁被覆の外周に嵌装された前記ゴム栓の取付筒に圧着されるゴム栓バレルとが順次に設けられ、
かつ前記ワイヤバレルの底部が前記インシュレーションバレルの底部と同程度の低位置に設けられるとともに、前記ワイヤバレルの前端部では、前記芯線の端末の跳ね上がりを抑えつつほぼ平坦に圧着されており、
当該端子金具が前記キャビティ内の正規位置まで挿入された場合に、圧着された前記ワイヤバレルの前端部が、前記リテーナの突出端と対向する位置まで進入可能となっていることを特徴とする端子金具。
【請求項３】
前記ワイヤバレルは、前記端子本体の底板から後方に延出された基板の両側縁に一対のバレル片が立ち上がり形成された形状であって、両バレル片が突出端縁を付き合わせつつ前記芯線の端末を抱き込むようにかしめ圧着されており、かつかしめ圧着された前記ワイヤバレルでは、ベルマウスが後端部のみに形成されていることを特徴とする請求項２記載の端子金具。
【発明の詳細な説明】
【技術分野】
【０００１】
本発明は、端子金具及びコネクタに関する。
【背景技術】
【０００２】
従来、防水コネクタの一例として、特許文献１に記載されたものが知られている。これは、被覆電線の端末に端子金具とゴム栓とが固着され、端子金具がハウジングのキャビティ内に抜け止めされて収容されることに伴い、ゴム栓がキャビティの入口に嵌ってシールするようになっている。  
より具体的には、端子金具は、相手端子との接続部を備えた角筒状の端子本体の後方にワイヤバレルとインシュレーションバレルとが設けられた構造とされる一方、被覆電線の端末については、絶縁被覆の端末が皮剥きされて芯線の端末が露出されるとともに、残った絶縁被覆の端末の外周にゴム栓の前面に突設された取付筒が嵌装された状態とされ、芯線の端末にワイヤバレルがかしめ圧着され、また絶縁被覆の端末とその外周のゴム栓の取付筒に対してインシュレーションバレルがかしめ圧着される。そして、このように被覆電線の端末にゴム栓とともに固着された端子金具が、ハウジングの対応するキャビティ内に後方からされて、同キャビティ内に設けられた樹脂ランスにより一次係止され、さらにハウジングに対してキャビティの天井側から下方に突出した形態で組み付けられたリテーナが、端子本体の後端の上部位置に係止して二重に抜け止めされるようになっている。
【０００３】
ところで近年、ワイヤハーネスの軽量化等を図るべく被覆電線の細線化が進められているが、このような細線化は電線強度の低下等を招いて破断に繋がるおそれがあり、特に上記のように端子金具とともにゴム栓を端末に固着した電線について顕著となる。すなわちこのような電線では、芯線の端末についてはワイヤバレルが直接に圧着されて固着力が大きいのに対して、絶縁被覆の端末についてはゴム栓の取付筒を介してインシュレーションバレルが圧着されているために固着力は小さくなる。そのため例えば、被覆電線が後方に強く引っ張られると、固着力が小さい絶縁被覆側はインシュレーションバレルから擦り抜けつつ、芯線が伸びるのを許容するといった現象を呈し、ついには芯線が破断するおそれがあった。また、ゴム栓が被覆電線とともに擦り抜けて、キャビティの入口からはみ出すおそれもあった。
【先行技術文献】
【特許文献】
【０００４】
【特許文献１】特開２００２−３１３４７４号公報
【発明の概要】
【発明が解決しようとする課題】
【０００５】
そこで、被覆電線の固着力を上げるために、インシュレーションバレルを絶縁被覆の端末を直接にかしめ圧着することに用いる一方、ゴム栓（取付筒）にかしめ圧着されるゴム栓バレルを新たに設けた、いわゆる３枚バレル形式の端子金具が提案された。  
しかしながら、バレルを３枚備えるためにはそれだけ軸方向に長い形成領域が必要となるが、それに伴い端子金具の全長を延ばしたのでは、キャビティの長さを変更する等、ハウジング側の大幅な形状変更を余儀なくされる。そのため端子金具の全長は変えないとすると、最前方のワイヤバレルを端子本体により接近した位置に形成せざるを得ないが、端子本体の後方位置には二重係止をするべくリテーナが進入するようになっているためにこれと干渉するおそれがあり、干渉を避けるためには、リテーナの形状を変更する等の手当てが必要となる。そうかと言って、ワイヤバレルの前端を干渉しない位置まで後方に引っ込めて軸方向の長さを短くすると、十分な接触性能が得られないことが懸念され、簡単には対応できないという事情がある。  
本発明は上記のような事情に基づいて完成されたものであって、その目的は、被覆電線が引っ張られたことに対する引張強度に優れ、かつ従前のハウジングを設計変更することなく利用可能とした端子金具並びに同端子金具を用いたコネクタを提供するところにある。
【課題を解決するための手段】
【０００６】
本発明のコネクタは、ハウジングと、ゴム栓とともに被覆電線の端末に固着されて前記ハウジングのキャビティ内に後方から挿入される端子金具と、前記ハウジングに対し前記キャビティの天井側から下方に突出した形態で組み付けられるリテーナとが具備され、前記端子金具は、その前端部に角筒状の端子本体が形成されてこの端子本体における後端上部が前記リテーナに係止される被係止部となっているとともに、前記端子本体の後方には、前記被覆電線における皮剥きされた芯線の端末に圧着されるワイヤバレルと、残された絶縁被覆の端末に圧着されるインシュレーションバレルと、前記絶縁被覆の外周に嵌装された前記ゴム栓の取付筒に圧着されるゴム栓バレルとが順次に設けられ、かつ前記ワイヤバレルの底部が前記インシュレーションバレルの底部と同程度の低位置に設けられるとともに、前記ワイヤバレルの前端部では、前記芯線の端末の跳ね上がりを抑えつつほぼ平坦に圧着されており、前記端子金具が前記キャビティ内の正規位置まで挿入された場合に、圧着された前記ワイヤバレルの前端部が、前記リテーナの突出端と対向する位置まで進入可能となっているところに特徴を有する。
【０００７】
また、本発明の端子金具は、ゴム栓とともに被覆電線の端末に固着され、ハウジングのキャビティ内に後方から挿入されて同ハウジングに対して前記キャビティの天井側から下方に突出する形態で組み付けられたリテーナにより抜け止めされる端子金具であって、前端部に角筒状の端子本体が形成されてこの端子本体における後端上部が前記リテーナに係止される被係止部とされるとともに、前記端子本体の後方には、前記被覆電線における皮剥きされた芯線の端末に圧着されるワイヤバレルと、残された絶縁被覆の端末に圧着されるインシュレーションバレルと、前記絶縁被覆の外周に嵌装された前記ゴム栓の取付筒に圧着されるゴム栓バレルとが順次に設けられ、かつ前記ワイヤバレルの底部が前記インシュレーションバレルの底部と同程度の低位置に設けられるとともに、前記ワイヤバレルの前端部では、前記芯線の端末の跳ね上がりを抑えつつほぼ平坦に圧着されており、当該端子金具が前記キャビティ内の正規位置まで挿入された場合に、圧着された前記ワイヤバレルの前端部が、前記リテーナの突出端と対向する位置まで進入可能となっているところに特徴を有する。
【０００８】
本発明の端子金具によれば、被覆電線における芯線の端末をワイヤバレルで、絶縁被覆の端末をインシュレーションバレルでそれぞれ個別に直接にかしめ圧着するようにしたから、当該端子金具がゴム栓ともどもハウジングのキャビティ内に抜け止めされて収容された状態において、被覆電線が後方に引っ張られた場合に対する引張強度に優れたものとなり、芯線の伸び破断やゴム栓のキャビティの入口からの飛び出しが生じることを未然に防止できる。
【０００９】
また、２枚バレル形式の端子金具と全長は同じに留めたままで、絶縁被覆の端末を直接にかしめ圧着することに機能するインシュレーションバレルを新たに設け、なおかつ芯線との接触抵抗をほぼ同じに抑えるべくワイヤバレルも２枚バレル形式の端子金具のワイヤバレルに遜色のない長さを確保しようとすると、ワイヤバレルを端子本体により接近した位置までずらさざるを得ず、実際には、当該端子金具がハウジングの対応するキャビティ内の正規位置まで挿入された場合には、ワイヤバレルの前端部はリテーナの位置にまで達する。  
ここで、ワイヤバレルの底部がインシュレーションバレルの底部と同程度の低位置に設けられ、かつワイヤバレルの前端部では、芯線の端末の跳ね上がりを抑えつつほぼ平坦に圧着されていて、かしめられたワイヤバレルの前端部はリテーナの突出端と対向する位置まで進入可能となる。言い換えると、リテーナが係止位置に組み込まれる際に、芯線の端末を含めたワイヤバレルがリテーナと干渉することはない。すなわち、リテーナを含めたハウジングについて、２枚バレル形式の端子金具に用いるハウジングに設計変更を加えることなく、そのまま利用することが可能であり、結果、安価に対応することができる。
【００１０】
端子金具として、以下のような構成としてもよい。  
（１）前記ワイヤバレルは、前記端子本体の底板から後方に延出された基板の両側縁に一対のバレル片が立ち上がり形成された形状であって、両バレル片が突出端縁を付き合わせつつ前記芯線の端末を抱き込むようにかしめ圧着されており、かつかしめ圧着された前記ワイヤバレルでは、ベルマウスが後端部のみに形成されている。  
かしめられたワイヤバレルの前端部をリテーナの突出端と対向する位置まで進入可能とする構造を実現できる。
【発明の効果】
【００１１】
本発明によれば、被覆電線が引っ張られたことに対する引張強度に優れ、かつ従前のハウジングを設計変更することなく利用可能とした端子金具並びに同端子金具を用いたコネクタを得ることができる。
【図面の簡単な説明】
【００１２】
【図１】本発明の一実施形態に係る端子金具の平面図
【図２】同側面図
【図３】端子金具をゴム栓とともに被覆電線の端末に圧着した状態の平面図
【図４】その側面図
【図５】端子金具をハウジングのキャビティに挿入する動作を示す縦断面図
【図６】端子金具がキャビティ内に抜け止めされて収容された状態の縦断面図
【図７】比較例としての２枚バレル端子の平面図
【図８】同側面図
【図９】２枚バレル端子をゴム栓とともに被覆電線の端末に圧着した状態の平面図
【図１０】その側面図
【図１１】２枚バレル端子がキャビティ内に抜け止めされて収容された状態の縦断面図
【発明を実施するための形態】
【００１３】
＜実施形態＞
本発明の一実施形態を添付図面に基づいて説明する。本実施形態では、３枚バレル形式の端子金具を用いた２極の防水コネクタを例示している。  
本実施形態に係る端子金具を説明する前に、比較のために、公知である２枚バレル形式の端子金具５０（以下、２枚バレル端子５０という）並びに同２枚バレル端子５０を用いた防水コネクタについて、図７ないし図１１を参照して説明する。  
２枚バレル端子５０は、ゴム栓１５とともに被覆電線１０の端末に固着されるようになっている。被覆電線１０は、図１０（図４）に示すように、金属素線を複数本を撚り合せた撚り線によって芯線１１が形成され、この芯線１１の回りが合成樹脂製の絶縁被覆１２で覆われた構造である。
【００１４】
２枚バレル端子５０は雌端子金具であって、銅合金等の金属板をプレス加工することで形成され、図７及び図８に示すように、相手の雄端子金具（図示せず）と電気的に接続される角筒状をなす端子本体５１の後方に、ワイヤバレル５７とインシュレーションバレル５９とが設けられた構造である。  
先に、長さ寸法（単位：mm）の一例を示すと、図１０のように、全長Ｂ１＝１５．８、ワイヤバレル５７の長さＢ３＝３．０、インシュレーションバレル５９の長さＢ５＝２．２、端子本体５１とワイヤバレル５７の間隔Ｂ２＝２．８、ワイヤバレル５７とインシュレーションバレル５９の間隔Ｂ４＝１．３である。
【００１５】
端子本体５１の内部には、底板５２の前縁から折り返されるようにして弾性接触片５３が設けられており、同端子本体５１に対して上記した相手の雄端子金具のタブが前方から挿入され、弾性接触片５３と弾性的に接触することにより、雄端子金具と２枚バレル端子５０とが電気的に接続されるようになっている。  
端子本体５１の上面における前端寄りの位置には、ハウジング３０側に設けられたランス３４に係止される前側被係止突部５４が形成されているとともに、後端には、リテーナ４０に係止される後側被係止突部５５が形成されている。
【００１６】
ワイヤバレル５７は、オープンバレル形式であって、左右一対の幅広のバレル片５７Ａが、底板５２の左右の側縁から互いに対向するようにして立ち上がり形成されている。ワイヤバレル５７は、上記した被覆電線１０の芯線１１の端末にかしめ圧着されるものであって、両バレル片５７Ａがそれぞれの突出端を突き合わせつつ、芯線１１の端末の外周を左右両側から抱き込むようにして、いわゆるハート型にかしめられるようになっている。
【００１７】
インシュレーションバレル５９は、同じくオープンバレル形式であって、ワイヤバレル５７側のバレル片５７Ａよりも幅狭で逆に背が高い左右一対のバレル片５９Ａが、底板５２の左右の側縁から前後に位置がずれた形態で立ち上がり形成されている。  
一方、被覆電線１０の残された絶縁被覆１２の端末には、前面側に取付筒１７が突設されたゴム栓１５が嵌装され、上記したインシュレーションバレル５９は、絶縁被覆１２の端末並びにゴム栓１５の取付筒１７に亘ってかしめ圧着されるものである。インシュレーションバレル５９は、両バレル片５９Ａが相互に前後方向に位置をずらした状態で、ゴム栓１５の取付筒１７の外周を左右両側から抱き込むようにしてかしめられるようになっている。
【００１８】
被覆電線１０の端末に２枚バレル端子５０並びにゴム栓１５を圧着する手順は、以下のようである。  
被覆電線１０の端末に対してゴム栓１５が先通しされ、ゴム栓１５が一旦後方に退避された状態で被覆電線１０の絶縁被覆１２の端末が皮剥きされ、芯線１１の端末が所定長さに亘って露出状態とされる。そののちゴム栓１５が前方に移動されて、取付筒１７が残された絶縁被覆１２の端末に外周に嵌められた状態となる。
【００１９】
そうしたら圧着装置を用いて、被覆電線１０の端末に２枚バレル端子５０がゴム栓１５ともども圧着接続される。詳細には、圧着装置にはアンビルとクリンパとが設けられ、２枚バレル端子５０のワイヤバレル５７に対して、露出された芯線１１の端末が、またインシュレーションバレル５９に対して、残された絶縁被覆１２の端末並びにそこに嵌められたゴム栓１５の取付筒１７とがそれぞれ配された状態でセットされ、両バレル５７，５９は、アンビルとクリンパとの間で挟圧されてかしめられる。これにより、被覆電線１０の端末に２枚バレル端子５０がゴム栓１５ともども圧着固定された状態となる。  
ここで、かしめられたワイヤバレル５７については、前後両端に外側に向かって次第に拡径したべルマウス５８が形成されるようになっていて、ワイヤバレル５７の前後両縁のエッジで芯線１１を切断することを防ぐようになっている。芯線１１の正に端末は、前側のべルマウス５８内に逃げるようにして図らずも跳ね上がった状態となる。
【００２０】
次に、ハウジング３０について説明する。ハウジング３０には、図１１（図５）に示すように、上記した被覆電線１０の端末に接続された２枚バレル端子５０が後方から挿入されるキャビティ３１が、左右に２個並んで形成されている。キャビティ３１の前面壁３１Ａには、相手の雄端子金具のタブが挿入される端子挿入口３２が開口されているとともに、キャビティ３１の天井壁３３における前端寄りの位置には、２枚バレル端子５０の前側被係止突部５４に係止する弾性変位可能なランス３４が設けられている。
【００２１】
両キャビティ３１の天井壁３３を左右方向に貫通するようにしてリテーナ挿通孔３５が形成され、同リテーナ挿通孔３５には、リテーナ４０が正面から見た右側面側からの抜き差し可能に挿通されている。リテーナ４０の本体部４１の下面には、２枚バレル端子５０における後側被係止突部５５の後方に係止する２本の係止部４２が、左右のキャビティ３１と同ピッチの間隔を開けて形成されている。リテーナ４０は、リテーナ挿通孔３５に対して比較的浅く差し込まれた仮係止位置と、それよりも深い本係止位置とでそれぞれ保持されるようになっており、仮係止位置では、リテーナ４０の両係止部４２は、キャビティ３１の側方に退避して２枚バレル端子５０がキャビティ３１内へ挿入されることを許容し、そののち本係止位置に押し込まれると、各係止部４２が対応するキャビティ３１内に進入して、それぞれのキャビティ３１に挿入された２枚バレル端子５０の後側被係止突部５５の直ぐ後方に位置するようになっている。
【００２２】
リテーナ４０の両係止部４２は、前後方向に細長い（ワイヤバレル５７の前後方向の長さに匹敵する）形状となっており、前後方向にほぼ３分割された前側の領域では、２枚バレル端子５０の端子本体５１の上部後端面であるあご部５１Ａのほぼ深さ一杯、すなわち端子本体５１とワイヤバレル５７との間に配される連結部５６のほぼ上面にまで達する垂下長を有し、中央の領域では後方に向けて次第に垂下長が短くなり、後側の領域では、端子本体５１のほぼ上面位置に留まる短い垂下長となっている。
【００２３】
言い換えると、係止部４２の下面は、前側領域が平坦な最垂下面４３となり、後側領域が上方に退避した平坦な逃がし面４５となり、中央領域が、後方に向けて上り勾配となったテーパ状の逃がし面４４となっている。  
前側領域に最垂下面４３が設けられていることで、端子本体５１の後側被係止突部５５に対する掛かり代を稼ぐように機能している。また後側領域の平坦な逃がし面４５は、２枚バレル端子５０における圧着されたワイヤバレル５７の前側のべルマウス５８を逃がし、中央領域のテーパ状の逃がし面４４は、跳ね上がった芯線１１の端末を逃がすことにそれぞれ機能している。  
なお、キャビティ３１の後端部すなわち入口３１Ｂには、ゴム栓１５が外周のリップ１６を弾縮しつつ緊密に嵌合されるようになっている。
【００２４】
上記のように、被覆電線１０の端末に固着された２枚バレル端子５０並びにゴム栓１５は、リテーナ４０が仮係止位置に保持された状態、すなわち係止部４２がキャビティ３１の側方に退避した状態で、雌ハウジング３０の対応するキャビティ３１内に後方から挿入され、図１１に示すように、キャビティ３１の前面壁３１Ａに当たる正規位置まで挿入されたところで、ランス３４が前側被係止突部５４に係止（一次係止）され、併せてゴム栓１５がキャビティ３１の入口３１Ｂに緊密に嵌合される。  
そののち、リテーナ４０が仮係止位置から本係止位置に向けて押し込まれて保持されると、リテーナ４０の各係止部４２は対応するキャビティ３１内に進入して、端子本体５１の後側被係止突部５５の後方に大きい掛かり代（あご部５１Ａの深さ一杯）を持って係止（二重係止）される。ここで、ワイヤバレル５７の前側のべルマウス５８は、係止部４２の平坦な逃がし面４５の下方に、また芯線１１の跳ね上がり部はテーパ状の逃がし面４４の下方にそれぞれ逃がされ、リテーナ４０が本係止位置まで押し込まれる際に係止部４２と干渉することはない。
【００２５】
さて、本実施形態に係る３枚バレル形式の端子金具２０（以下、３枚バレル端子２０という）について説明する。この３枚バレル端子２０は、上記した２枚バレル端子５０に対し、全長は同一に留めた上で、バレルの配設構造に変更が加えられている。以下には、２枚バレル端子５０との相違点を主に説明し、２枚バレル端子５０と同一構造部分については、同一符号を付すことで説明を簡略化しまたは省略する。
【００２６】
３枚バレル端子２０は同じく雌端子金具であって、図１及び図２に示すように、相手の雄端子金具（図示せず）と電気的に接続される角筒状をなす端子本体５１の後方に、ワイヤバレル２１と、インシュレーションバレル２３と、ゴム栓バレル２４とが設けられた構造である。  
同様に、先に長さ寸法（単位：mm）の一例を図４によって示すと、全長Ａ１＝１５．８（２枚バレル端子５０の全長Ｂ１と同じ）、ワイヤバレル２１の長さＡ３＝２．５、インシュレーションバレル２３の長さＡ５＝１．０、ゴム栓バレル２４の長さＡ７＝１．９、端子本体５１とワイヤバレル２１の間隔Ａ２＝１．３、ワイヤバレル２１とインシュレーションバレル２３の間隔Ａ４＝１．３、インシュレーションバレル２３とゴム栓バレル２４の間隔Ａ６＝１．３である。
【００２７】
個々のバレル２１，２３，２４について説明する。先にゴム栓バレル２４を説明すると、このゴム栓バレル２４は、形状的には、２枚バレル端子５０のインシュレーションバレル５９に相当する。同様にオープンバレル形式であって、幅狭で背が高い左右一対のバレル片２４Ａが、底板５２の左右の側縁から前後に位置がずれた形態で立ち上がり形成されており、両バレル片２４Ａが相互に前後方向に位置をずらした状態で、ゴム栓１５の取付筒１７の外周を左右両側から抱き込むようにしてかしめられるようになっている。  
２枚バレル端子５０のインシュレーションバレル５９との相違点は、各バレル片２４Ａが少し幅狭とされ、かつ前側のバレル片２４Ａが後側のバレル片２４Ａとの間隔を詰めるように若干後方に形成され、その結果、ゴム栓バレル２４の長さＡ７が、２枚バレル端子５０のインシュレーションバレル５９の長さＢ５よりも少し短くなっている。
【００２８】
インシュレーションバレル２３は、３枚バレル端子２０に特有のものであり、同じくオープンバレル形式であって、幅狭の左右一対のバレル片２３Ａが、底板５２の左右の側縁から互いに対向するようにして立ち上がり形成されている。ただし、同インシュレーションバレル２３の底板５２は、ゴム栓バレル２４の底板５２よりも、ゴム栓１５の取付筒１７の肉厚分だけ上方位置にある。  
このインシュレーションバレル２３は、被覆電線１０における皮剥きされたのちの絶縁被覆１２の端末に対し、両バレル片２３Ａがそれぞれの突出端を重ね合わせつつ、左右両側から抱き込むようにして、いわゆるオーバラップ型にかしめられるようになっている。
【００２９】
ワイヤバレル２１は、２枚バレル端子５０のワイヤバレル５７と同様に、左右一対の幅広のバレル片２１Ａが、底板５２の左右の側縁から互いに対向するようにして立ち上がり形成されている。このワイヤバレル２１は同様に、被覆電線１０における露出された芯線１１の端末に対し、両バレル片２１Ａがそれぞれの突出端を突き合わせつつ、左右両側から抱き込むようにして、いわゆるハート型にかしめられるようになっている。  
２枚バレル端子５０のワイヤバレル５７との相違点としては、端子本体５１により近い位置に形成されていること、バレル片２１Ａの幅すなわちワイヤバレル２１の長さＡ３が少し（０．５mm）短くされていることが挙げられる。また、図２に示すように、ワイヤバレル２１の底板５２は、インシュレーションバレル２３の底板５２と面一の低い位置に形成されている。
【００３０】
被覆電線１０の端末に３枚バレル端子２０並びにゴム栓１５を圧着する手順は、以下のようである。  
被覆電線１０の端末に対してゴム栓１５が先通しされ、ゴム栓１５が一旦後方に退避された状態で被覆電線１０の絶縁被覆１２の端末が皮剥きされ、芯線１１の端末が所定長さに亘って露出状態とされる。そののちゴム栓１５が前方に移動されるが、ここでは、取付筒１７の先に、絶縁被覆１２の残された端末の所定長さが露出されるような位置に留められる。
【００３１】
そうしたら、アンビルとクリンパとからなる圧着装置によって、被覆電線１０の端末に３枚バレル端子２０がゴム栓１５ともども圧着接続される。詳細には、３枚バレル端子２０のワイヤバレル２１に対して露出された芯線１１の端末が、インシュレーションバレル２３に対して絶縁被覆１２の端末が、またゴム栓バレル２４に対してゴム栓１５の取付筒１７がそれぞれ配された状態でセットされ、各バレル２１，２３，２４は、アンビルとクリンパとの間で挟圧されてかしめられる。これにより、被覆電線１０の端末に３枚バレル端子２０がゴム栓１５ともども圧着固定された状態となる。
【００３２】
ここで特筆すべきは、被覆電線１０における絶縁被覆１２の端末に、インシュレーションバレル２３が直接にかしめられていることである。  
また、ワイヤバレル２１がかしめられる部分について、芯線１１の端末がワイヤバレル２１に配される場合に、芯線１１の正に端末が、ワイヤバレル２１の前端と面一かほんの僅か前方に突出する程度とされ、それに加え、べルマウス２２が後端側のみに形成されて、前端側では形成されない形態でかしめられる。そのため、かしめられたワイヤバレル２１の前端側では、上面が平坦面となり、かつ芯線１１の端末の跳ね上がりも生じない。  
さらに、ワイヤバレル２１の底板５２が、インシュレーションバレル２３の底板５２と同じ低い位置に設けられているから、かしめられたワイヤバレル２１の上面は、端子本体５１とワイヤバレル２１との間に配される連結部２６の上面と同じかそれよりも低い位置に留められる。
【００３３】
３枚バレル端子２０では、その全長は不変としたままで、絶縁被覆１２の端末を直接にかしめ圧着することに機能するインシュレーションバレル２３を新たに設けたのであるから、ゴム栓バレル２４とワイヤバレル２１との長さを控えたとしても、ワイヤバレル２１を端子本体５１により接近した位置までずらさざるを得ない。
実際には、後記するように、３枚バレル端子２０がハウジング３０の対応するキャビティ３１内の正規位置まで挿入された場合に、ワイヤバレル２１の前端部は、リテーナ４０の係止部４２における平坦な最垂下面４３を持った前側領域にまで達する。しかしながら、上記したように、かしめられたワイヤバレル２１の上面は、前端部分も含めて連結部２６の上面以下の位置にあり、かつ芯線１１の端末の跳ね上がりもないことから、芯線１１の端末を含めたワイヤバレル２１が、リテーナ４０の係止部４２と干渉することはない。
また、３枚バレル端子２０のワイヤバレル２１は、２枚バレル端子５０のワイヤバレル５７と比べて長さが短い（０．５mm）が、上記のように前側ではべルマウスが形成されないのであるから、ワイヤバレル２１と芯線１１との接触面積の減少はわずかに留められて低抵抗を確保でき、２枚バレル端子５０のワイヤバレル５７と比べて、遜色のない接触性能を得ることができる。
【００３４】
本実施形態の作用を説明する。被覆電線１０の端末には、上記した要領で３枚バレル端子２０とゴム栓１５とが固着され、これらの３枚バレル端子２０とゴム栓１５とが、図５の矢線に示すように、ハウジング３０の対応するキャビティ３１内に後方から挿入され、図６に示すように、キャビティ３１の前面壁３１Ａに当たる正規位置まで挿入されたところで、ランス３４が前側被係止突部５４に係止（一次係止）され、併せてゴム栓１５がキャビティ３１の入口３１Ｂに緊密に嵌合される。  
そののち、リテーナ４０が仮係止位置から本係止位置に向けて押し込まれて保持されると、図６に示すように、リテーナ４０の各係止部４２は対応するキャビティ３１内に進入して、端子本体５１の後側被係止突部５５の後方に大きい掛かり代（あご部５１Ａの深さ一杯）を持って係止（二重係止）される。
【００３５】
ここで、３枚バレル端子２０では、キャビティ３１内の正規位置まで挿入された場合に、ワイヤバレル２１の前端部は、リテーナ４０の係止部４２における平坦な最垂下面４３を持った前側領域にまで達する。しかしながら、ワイヤバレル２１の底板５２はインシュレーションバレル２３の底板５２と同じ低い位置に設けられており、かつワイヤバレル２１の前端にはべルマウスが形成されないから、かしめられたワイヤバレル２１の上面は、前端部分も含めて連結部２６の上面以下の位置にあり、また芯線１１の端末の跳ね上がりもないことからから、リテーナ４０が本係止位置まで押し込まれる際に、芯線１１の端末を含めたワイヤバレル２１が、リテーナ４０の係止部４２と干渉することはない。
【００３６】
このように組み付けられた防水コネクタは、相手の雄コネクタ（図示せず）と嵌合される。ここで、図６の矢線Ｘに示すように、被覆電線１０が後方に向けて引っ張られることがある。本実施形態の３枚バレル端子２０の場合は、ワイヤバレル２１が芯線１１の端末にかしめられていることに加えて、インシュレーションバレル２３が絶縁被覆１２の端末に直接にかしめられているために、インシュレーションバレル２３でも引張荷重が有効に受けられ、ワイヤバレル２１に掛かる引張荷重が低減される。その結果、芯線１１が伸びて破断に至るまでの引張荷重が大きく取られ、言い換えると引張強度に優れたものとなる。また、絶縁被覆１２が後方に擦り抜けることに起因してゴム栓１５がキャビティ３１の入口３１Ｂから後方にはみ出すことも防止される。
【００３７】
以上のように、本実施形態の３枚バレル端子２０では、被覆電線１０における芯線１１の端末をワイヤバレル２１で、絶縁被覆１２の端末をインシュレーションバレル２３でそれぞれ個別に直接にかしめ圧着するようにしたから、当該３枚バレル端子２０がゴム栓１５ともどもハウジング３０のキャビティ３１内に抜け止めされて収容された状態において、被覆電線１０が後方に引っ張られた場合に対する引張強度に優れたものとなり、芯線１１の伸び破断やゴム栓１５のキャビティ３１の入口３１Ｂからの飛び出しが生じることを防止できる。
【００３８】
また、３枚バレル端子２０では、２枚バレル端子５０と全長は同じに留めたままで、絶縁被覆１２の端末を直接にかしめ圧着することに機能するインシュレーションバレル２３を新たに設け、なおかつ芯線１１との接触抵抗をほぼ同じに抑えるべくワイヤバレル２１も２枚バレル端子５０のワイヤバレル５７とほぼ同じ長さを確保している。そのため、ワイヤバレル２１を端子本体５１により接近した位置までずらさざるを得ず、実際には、当該３枚バレル端子２０がハウジング３０の対応するキャビティ３１内の正規位置まで挿入された場合には、ワイヤバレル２１の前端部は、リテーナ４０の係止部４２における平坦な最垂下面４３を持った前側領域にまで達する。  
しかしながら、ワイヤバレル２１の底板５２はインシュレーションバレル２３の底板５２と同じ低い位置に設けられ、かつワイヤバレル２１の前端にはべルマウスが形成されないから、かしめられたワイヤバレル２１の上面は、前端部分も含めて連結部２６の上面以下の位置にあり、また芯線１１の端末の跳ね上がりもないことから、リテーナ４０が本係止位置まで押し込まれる際に、芯線１１の端末を含めたワイヤバレル２１が、リテーナ４０の係止部４２と干渉することはない。  
すなわち、リテーナ４０を含めてハウジング３０について、２枚バレル端子５０用のハウジングに設計変更を加えることなく、そのまま利用することが可能である。結果、安価に対応することができる。
【００３９】
＜他の実施形態＞
本発明は上記記述及び図面によって説明した実施形態に限定されるものではなく、例えば次のような実施形態も本発明の技術的範囲に含まれる。  
（１）上記実施形態では雌側の端子金具並びに雌側の防水コネクタを例示したが、本発明は雄タブを備えた雄側の端子金具さらには雄側の防水コネクタにも同様に適用することができる。  
（２）端子金具がハウジングのキャビティから抜けることを阻止する構造としては、一次係止に金属ランスを用いたものであってもよく、またリテーナのみで抜け止めを図るものであってもよい。  
（３）上記実施形態に例示したランス長等の寸法はあくまでも一例であって、端子金具の全長や固着される相手の被覆電線の径寸法等の条件に応じて、任意に設定できるものである。
【符号の説明】
【００４０】
１０…被覆電線
１１…芯線
１２…絶縁被覆
１５…ゴム栓
１７…取付筒
２０…２枚バレル端子（端子金具）
２１…ワイヤバレル
２１Ａ…バレル片
２２…べルマウス
２３…インシュレーションバレル
２４…ゴム栓バレル
３０…ハウジング
３１…キャビティ
３３…天井壁
４０…リテーナ
４２…係止部
４３…最垂下面（突出端）
５１…端子本体
５２…底板（基板）
５５…後側被係止突部（被係止部）
【図１】
2010244879.tif 000003
【図２】
2010244879.tif 000004
【図３】
2010244879.tif 000005
【図４】
2010244879.tif 000006
【図５】
2010244879.tif 000007
【図６】
2010244879.tif 000008
【図７】
2010244879.tif 000009
【図８】
2010244879.tif 000010
【図９】
2010244879.tif 000011
【図１０】
2010244879.tif 000012
【図１１】
2010244879.tif 000013